(57)【要約】      （修正有）【課題】抜け毛の予防と治療、および、健康的な髪の成長の促進のための、光を用いた治療用ヘルメットを提供する。【解決手段】光を用いた治療用ヘルメットは、複数の光る点を具えた回路基板層２０を有する。複数の光る点は、第一、第二または第三発光ユニットである。第一、第二および第三発光ユニットはそれぞれ、６６０ｎｍ、９４０ｎｍおよび１６００ｎｍの波長を含む第一、第二および第三光バンドの光をそれぞれ発する。下部ヘルメット本体３０には、使用者の頭部が直接収容されるように構成された収容空間３３が設けられている。上部ヘルメット本体１０には、回路基板層２０を収容する収容空間１１が設けられている。下部ヘルメット本体３０、回路基板層２０、および上部ヘルメット本体１０が互いに嵌合すると、回路基板層２０は上部ヘルメット本体１０と下部ヘルメット本体３０の間に固定される。コントローラ５０は、複数の光る点のオン／オフおよび明るさをコントロールする。【選択図】図２
0003233620.tif 000002
【実用新案登録請求の範囲】
【請求項１】
回路基板層、
下部ヘルメット本体、
上部ヘルメット本体、
コントローラ、
一組のインターフェイスワイヤを含み、
前記回路基板層が、回路基板と該回路基板上に固定された複数の光る点を有し、該複数の光る点のそれぞれが、第一発光ユニット、第二発光ユニット、または第三発光ユニットであり、前記第一発光ユニットが第一光バンドの光を発し、前記第二発光ユニットが第二光バンドの光を発し、前記第三発光ユニットが第三光バンドの光を発し、
前記下部ヘルメット本体が、本体、および使用者の頭が直接その中に収容されるように構成された収容空間を有し、該収容空間が前記下部ヘルメット本体の前記本体によって画定され、
前記上部ヘルメット本体が、前記回路基板層と前記下部ヘルメット本体を嵌込む収容空間を有し、前記下部ヘルメット本体と前記回路基板層と前記上部ヘルメット本体が互いに嵌合しているとき、前記回路基板層が前記上部ヘルメット本体と前記下部ヘルメット本体の間に固定されており、
前記コントローラが、前記複数の光る点のオン／オフ状態および発光輝度をコントロールし、
前記一組のインターフェイスワイヤが、前記回路基板層と前記コントローラの間に接続されている、
光を用いた治療用ヘルメット。
【請求項２】
前記第一発光ユニットの数、前記第二発ユニットの数、および前記第三発光ユニットの数が、それぞれ２４以上である、請求項１に記載の光を用いた治療用ヘルメット。
【請求項３】
前記下部ヘルメット本体の前記本体が透明な材料で作られており、前記回路基板層上の前記第一発光ユニット、前記第二発光ユニット、および前記第三発光ユニットの位置が、全ての前記第一発光ユニット、全ての前記第二発光ユニット、および全ての前記第三発光ユニットが発するそれぞれ光の集合体が、それぞれ前記下部ヘルメット本体の前記本体を通って、それぞれ均一に輝くように構成されている、請求項１に記載の光を用いた治療用ヘルメット。
【請求項４】
前記第一光バンドの光、前記第二光バンドの光、および前記第三光バンドの光が、それぞれ赤色光、赤外光、および遠赤外光であり、それぞれ６６０ｎｍの波長、９４０ｎｍの波長、および１６００ｎｍの波長を含む、請求項１に記載の光を用いた治療用ヘルメット。
【請求項５】
前記下部ヘルメット本体の前記本体が透明な材料で作られており、前記第一光バンドの光、前記第二光バンドの光、および前記第三光バンドの光に対する前記透明な材料の平均透過率がそれぞれ５％以上である、請求項１に記載の光を用いた治療用ヘルメット。
【請求項６】
回路基板層、
下部ヘルメット本体、
上部ヘルメット本体、
コントローラ、
一組のインターフェイスワイヤを含み、
前記回路基板層が、回路基板と該回路基板上に固定された複数の光る点を有し、該複数の光る点のそれぞれが、一組の発光ユニットであり、該一組の発光ユニットが第一光バンドの光を発する第一ＬＥＤ、第二光バンドの光を発する第二ＬＥＤ、第三光バンドの光を発する第三ＬＥＤを含み、
前記下部ヘルメット本体が、本体、および使用者の頭が直接その中に収容されるように構成された収容空間を有し、
前記上部ヘルメット本体が、前記回路基板層と前記下部ヘルメット本体を嵌込む収容空間を有し、前記下部ヘルメット本体と前記回路基板層と前記上部ヘルメット本体が互いに嵌合しているとき、前記回路基板層が前記上部ヘルメット本体と前記下部ヘルメット本体の間に固定されており、
前記コントローラが、前記複数の光る点のオン／オフ状態および発光輝度をコントロールし、
前記一組のインターフェイスワイヤが、２つの末端を有し、一方の前記末端が前記回路基板層と接続され、もう一方の前記末端が前記コントローラに接続されている、
光を用いた治療用ヘルメット。
【請求項７】
前記複数の光る点の数が７２以上である、請求項６に記載の光を用いた治療用ヘルメット。
【請求項８】
前記下部ヘルメット本体の前記本体が透明な材料で作られており、前記回路基板層上の前記複数の光る点の位置が、該複数の光る点の全てが発する光の集合体が前記下部ヘルメット本体の前記本体を通って、均一に輝くように構成されている、請求項６に記載の光を用いた治療用ヘルメット。
【請求項９】
前記第一光バンドの光、前記第二光バンドの光、前記第三光バンドの光が、それぞれ赤色光、赤外光、遠赤外光であり、それぞれ６６０ｎｍの波長、９４０ｎｍの波長、１６００ｎｍの波長を含む、請求項６に記載の光を用いた治療用ヘルメット。
【請求項１０】
前記下部ヘルメット本体の前記本体が透明な材料で作られており、前記第一光バンドの光、前記第二光バンドの光、および前記第三光バンドの光に対する前記透明な材料の平均透過率がそれぞれ５％以上である、請求項６に記載の光を用いた治療用ヘルメット。
【請求項１１】
前記下部ヘルメット本体の前記本体が複数の貫通孔を有し、前記複数の光る点がそれぞれ発する光が、前記複数の貫通孔のうちの１つをそれぞれ通り、前記回路基板層上の前記複数の光る点の位置が、前記複数の光る点が発する光の集合体が前記複数の貫通孔を通って均一に輝くように構成されている、請求項１または６に記載の光を利用した治療用ヘルメット。
【請求項１２】
前記コントローラがさらに、前記回路基板層上の前記複数の光る点をオン／オフするための少なくとも１つのオンオフボタンと前記複数の光る点が発する光の集合体の明るさをコントロールするための少なくとも１つの明るさコントロールボタンを含む、請求項１または６に記載の光を用いた治療用ヘルメット。
【請求項１３】
前記コントローラがさらに、外部電源から電力を受取るための電力入力端を含む、請求項１または６に記載の光を用いた治療用ヘルメット。
【請求項１４】
前記コントローラが、前記一組のインターフェイスワイヤを介して、前記回路基板層に一組のコントロール信号を送り、前記複数の光る点に電力を供給し、前記複数の光る点が発する光の集合体の明るさをコントロールする、請求項１または６に記載の光を用いた治療用ヘルメット。
【請求項１５】
前記回路基板層２０、前記一組のインターフェイスワイヤ、およびコントローラの間に構成された接続のタイプが、ユニバーサル・シリアル・バス・タイプＣのケーブルおよびコネクタと互換性がある、請求項１または６に記載の光治療ヘルメット。
【請求項１６】
前記回路基板層の形状が、前記上部ヘルメット本体および前記下部ヘルメット本体の形状に適合しており、前記下部ヘルメット本体が、前記下部ヘルメット本体に前記回路基板層を固定するために前記回路基板層と一体化された下縁スロットを有する、請求項１または６に記載の光を用いた治療用ヘルメット。
【請求項１７】
前記下部ヘルメット本体がさらに、前記下部ヘルメット本体の内面に固定された複数のクッションを含む、請求項１または６に記載の光を用いた治療用ヘルメット。
【請求項１８】
前記複数のクッションが、プラスチック、革、発泡スチロール、スポンジ、発泡材、紙、竹、籐、草、木、金属、またはゴムで作られている、請求項１７に記載の光を用いた治療用ヘルメット。
【考案の詳細な説明】
【技術分野】
【０００１】
本考案は、治療用ヘルメット、特に、光を用いた治療用ヘルメットに関するものである。
【背景技術】
【０００２】
抜け毛の予防と治療、および健康的な髪の成長の促進は、長い間、医学界の継続的な努力が目指す方向である。医学界では、抜け毛を予防し、健康的な髪の成長を促進するために、頭皮を照らす光源として発光ダイオード（Light Emitting Diode）（以下、ＬＥＤと略す。）の使用が試されてきた。上述の光治療は、脂漏性脱毛症、女性の分娩後脱毛症、円形脱毛症、化学療法後の脱毛などに有効であるとされている。さらに、上述の光治療は、皮脂分泌を改善し、抜け毛の可能性を最小限に抑え、毛髪が太くなることを防ぎ、毛髪にふっくらとしたつやを与えることができます。また、上述の光治療は、毛髪が成長期に入るのを促進し、毛根に深く浸透させ、毛根の数を増やし、毛根を強化することができる。
【０００３】
現在、頭皮に光を照射して抜け毛を防ぎ、健康的な髪の成長を促す装置市場においては、セラミック素子や微粒子フィルムが熱を吸収して遠赤外線を発する遠赤外線を光源とするものが主流であるが、ＬＥＤが、遠赤外線光源であってもよい。しかし、これらの製品は、光源の光バンドの選択、機械的構造設計、および／または製造コストなどの点で、未だ改善の余地がある。髪の健康に関心を持つ人が増えてきているため、より快適な機械構造およびより手ごろな製造コストで、抜け毛を防ぎ、健康的な髪の成長を促すより効果的な装置を設計することが急務となっている。
【考案の概要】
【課題を解決するための手段】
【０００４】
本考案は、光を用いた治療用ヘルメットを開示するものであり、該光を用いた治療用ヘルメットは、
回路基板層、
下部ヘルメット本体、
上部ヘルメット本体、
コントローラ、
一組のインターフェイスワイヤを含み、
前記回路基板層が、回路基板と該回路基板上に固定された複数の光る点を有し、該複数の光る点のそれぞれが、第一発光ユニット、第二発光ユニット、または第三発光ユニットであり、前記第一発光ユニットが第一光バンドの光を発し、前記第二発光ユニットが第二光バンドの光を発し、前記第三発光ユニットが第三光バンドの光を発し、
前記下部ヘルメット本体が、本体、および使用者の頭が直接その中に収容されるように構成された収容空間を有し、該収容空間が前記下部ヘルメット本体の前記本体によって画定され、
前記上部ヘルメット本体が、前記回路基板層と前記下部ヘルメット本体を嵌込む収容空間を有し、前記下部ヘルメット本体と前記回路基板層と前記上部ヘルメット本体が互いに嵌合しているとき、前記回路基板層が前記上部ヘルメット本体と前記下部ヘルメット本体の間に固定されており、
前記コントローラが、前記複数の光る点のオン／オフ状態および発光輝度をコントロールし、
前記一組のインターフェイスワイヤが、前記回路基板層と前記コントローラの間に接続されている、
光を用いた治療用ヘルメット、である。
【０００５】
好ましくは、第一発光ユニットの数、第二発光ユニットの数、および第三発光ユニットの数が、それぞれ２４以上である。
【０００６】
一実施形態では、本考案の光を用いた治療用ヘルメットの技術的内容には、
回路基板層が含まれ、該回路基板層は、回路基板と該回路基板上に固定された複数の光る点を有し、該複数の光る点のそれぞれが、一組の発光ユニットであり、該一組の発光ユニットが、第一光バンドの光を発する第一ＬＥＤと、第二光バンドの光を発する第二ＬＥＤと、第三光バンドの光を発する第三ＬＥＤを含む。
【０００７】
好ましくは、複数の光る点の数が、７２以上である。
【図面の簡単な説明】
【０００８】
【図１】図１は本考案の光を用いた治療用ヘルメットの斜視図。
【図２】図２は本考案の光を用いた治療用ヘルメットの分解図。
【図３】図３は本考案の光を用いた治療用ヘルメットの内側面の斜視図。
【図４】図４は本考案の光を用いた治療用ヘルメットの別の内側面の斜視図。
【考案を実施するための形態】
【０００９】
図１と図２を参照して、図１は、本考案の光を用いた治療用ヘルメットの斜視図であり、図２は、本考案の光を用いた治療用ヘルメットの分解図である。光を用いた治療用ヘルメット１は、上部ヘルメット本体１０、回路基板層２０、下部ヘルメット本体３０、一組のインターフェイスワイヤ４０、およびコントローラ５０を含む。光を用いた治療用ヘルメット１は、使用者が頭に装着するためのものである。使用者が光を用いた治療用ヘルメット１を頭に装着すると、コントローラ５０によって光を用いた治療用ヘルメット１の回路基板層２０をコントロールし、下部ヘルメット本体３０を通って使用者の頭を照らす光が放たれ、健康的な髪の成長を促すことができる。
【００１０】
上部ヘルメット本体１０は、光を用いた治療用ヘルメット１の外側筐体であり、上部ヘルメット本体１０は、収容空間１１を有し、上部ヘルメット本体１０の収容空間１１によって、回路基板層２０と下部ヘルメット本体３０が嵌込まれている。下部ヘルメット本体３０は、本体３１、下縁スロット３２、および下部ヘルメット本体３０の本体３１によって画定された収容空間３３を有する。収容空間３３は、使用者が光を用いた治療用ヘルメット１を頭部に直接装着するためのものである。回路基板層２０の形状は、上部ヘルメット本体１０および下部ヘルメット本体３０の形状に適合している。上部ヘルメット本体１０、回路基板層２０および下部ヘルメット本体３０が互いに嵌合しているときは、回路基板層２０は上部ヘルメット本体１０と下部ヘルメット本体３０の間にしっかりと固定されている。このようにして、上部ヘルメット本体１０、回路基板層２０および下部ヘルメット本体３０はモジュール化されており、より製造コストを下げるために、まず独立して製造され、その後、適切に組合わされてもよい。
【００１１】
図２と図３を参照して、図３では、点線部分の中に位置する下部ヘルメット本体３０の本体３１は示されていない。回路基板層２０は、複数の光る点２１と回路基板２２とを有し、複数の光る点２１は回路基板層２０の回路基板２２に固定されている。下部ヘルメット本体３０の下縁スロット３２には複数のねじ穴３４が設けられており、回路基板層２０は下縁スロット３２の複数のねじ穴３４を介して下部ヘルメット本体３０にしっかりと固定されている。
【００１２】
一実施形態では、下部ヘルメット本体３０の本体３１は、ポリメチルメタクリレート（PMMA）、ポリスチレン（PS）、ポリカーボネート（PC）、ジアリルグリコールカーボネート（CR-３９）、スチレンアクリロニトリル共重合体（SAN）、ポリ-４-メチルペンテン-１（TPX）、透明ポリアミド、OZ-１０００樹脂、KT-１５３スピロアルカン樹脂、TSシリーズ光学材料、MH樹脂、APO樹脂、およびTS２６樹脂を含むポリマー光透過性材料のような透明な材料で作られている。また、透明な材料は、透明ガラス繊維強化プラスチックを含むポリマーベースの光透過性複合材料であってもよい。
【００１３】
一実施形態では、回路基板層２０は複数の光る点２１を有しており、複数の光る点２１のそれぞれが、第一発光ユニット、第二発光ユニット、または第三発光ユニットであってよい。回路基板層２０上の第一発光ユニットの位置は、全ての第一発光ユニットが発する光の集合体が、下部ヘルメット本体３０の本体３１を通って、使用者の頭部の表面を均一に照らすように構成されている。同様に、回路基板層２０上の第二発光ユニットの位置は、全ての第二発光ユニットが発する光の集合体が、下部ヘルメット本体３０の本体３１を通って、使用者の頭部の表面を均一に照らすように構成されている。同様に、回路基板層２０上の第三発光ユニットの位置は、全ての第三発光ユニットが発する光の集合体が、下部ヘルメット本体３０の本体３１を通って、使用者の頭部の表面を均一に照らすように構成されている。ここで、第一発光ユニット、第二発光ユニット、および第三発光ユニットは、いずれもＬＥＤを含む。第一発光ユニットは、第一光バンドの光を発し、第二発光ユニットは、第二光バンドの光を発し、第三発光ユニットは、第三光バンドの光を発する。好ましくは、第一発光ユニットから発せられる第一光バンドは赤色光であり、６６０ｎｍの波長を含み、第二発光ユニットから発せられる第二光バンドは赤外光であり、９４０ｎｍの波長を含み、第三発光ユニットから発せられる第三光バンドは遠赤外光であり、１６００ｎｍの波長を含む。第一光バンド、第二光バンド、第三光バンドを混合して頭部の細胞組織に照射することにより、細胞が活性化され、毛包が刺激され、血行が促進され、萎縮した損傷毛包が修復されて、健康的な髪の成長を促し、頭皮に栄養を与える効果が得られる。したがって、本考案によれば、現在市場に出回っている単一光バンドや二重光バンドの光線治療製品よりも、健康的な髪の成長を促す効果が得られる。本考案によれば、上記の頭皮への健康効果に加えて、頭部の保温、身体の健康増進、身体の震えや不快感の軽減にも効果がある。
【００１４】
一実施形態では、第一発光ユニットが発する第一光バンドの光、第二発光ユニットが発する第二光バンドの光、および第三発光ユニットが発する第三光バンドの光は、いずれも下部ヘルメット本体３０の本体３１が透明な材料であるという観点から、透過率が高くなっている。例えば、透過率は５％を下回らない。
【００１５】
好ましくは、回路基板層２０は、２４個以上の第一発光ユニット、２４個以上の第二発光ユニット、２４個以上の第三発光ユニットを有する。
【００１６】
一組のインターフェイスワイヤ４０の両端は、コントローラ５０および回路基板層２０とそれぞれ接続されており、コントローラ５０は、一組のインターフェイスワイヤ４０を介して、回路基板層２０に電力および一組のコントロール信号を送る。回路基板層２０、一組のインターフェイスワイヤ４０、およびコントローラ５０の間に構成された接続のタイプは、ユニバーサル・シリアル・バス・タイプＣのケーブルおよびコネクタと互換性がある。
【００１７】
コントローラ５０は、回路基板層２０上の全ての第一発光ユニット、全ての第二発光ユニット、及び全ての第三発光ユニットをオン／オフするための少なくとも１つのオンオフボタン５１を有する。また、コントローラ５０は、全ての第一発光ユニット、全ての第二発光ユニット、及び全ての第三発光ユニットからの光の集合体の明るさをコントロールするための少なくとも１つの明るさコントロールボタン５２を有しており、コントローラ５０は、デューティサイクル（ｄｕｔｙ  ｃｙｃｌｅ）を用いて前述の明るさコントロールを行ってもよい。さらに、コントローラ５０は、５V／２Amaxのモバイル電源や１２Vの車両用ＤＣ電源などの外部電源から電力を受取るための電力入力端５３を有する。このようにして、使用者は、本考案の光を用いた治療用ヘルメット１を装着して、自転車、歩行、公共交通機関への乗車、自家用車に乗るなどの屋外活動を電力供給の制限を受けることなく行う際に、モバイル電源や車両用DC電源を使用して、本考案の光を用いた治療用ヘルメット１に電力を供給することができる。
【００１８】
一実施形態では、下部ヘルメット本体３０は、前述した透明材料で作られている。回路基板層２０の複数の光る点２１のそれぞれは、一組の発光ユニット（図面には示されていない。）であり、一組の発光ユニットのそれぞれは、第一ＬＥＤ、第二ＬＥＤ及び第三ＬＥＤを有し、第一ＬＥＤは、赤色光であって６６０ｎｍの波長を含む第一光バンドの光を発し、第二ＬＥＤは、赤外光であって９４０ｎｍの波長を含む第二光バンドの光を発し、第三ＬＥＤは、遠赤外光であって波長１６００ｎｍの第三光バンドの光を発する。回路基板層２０上の複数の光る点２１の全ての位置は、複数の光る点２１の全てが発する光の集合体が、下部ヘルメット本体３０の本体３１を通って、使用者の頭部の表面を均一に照らすように構成されている。
【００１９】
好ましくは、回路基板層２０は、少なくとも７２組の発光ユニットを有している。
【００２０】
別の実施形態では、下部ヘルメット本体３０が複数の貫通孔（図面には示されていない。）を有しており、下部ヘルメット本体３０を透明な材料で構成する必要がない。下部ヘルメット本体３０の本体３１に設けられた複数の貫通孔の位置と、回路基板層２０に設けられた複数の光る点２１の位置は、上部ヘルメット本体１０と回路基板層２０と下部ヘルメット本体３０が互いに嵌合し、回路基板層２０が上部ヘルメット本体１０と下部ヘルメット本体３０の間にしっかりと固定されている状況において、複数の光る点２１のそれぞれが発する光が対応する貫通孔を２０％以上通過するように、複数の光る点２１のそれぞれが、下部ヘルメット本体３０の本体３１の対応する貫通孔の中心近くに位置するように構成されている。複数の光る点２１の全てが発する光の集合体は、貫通孔を有する本体３１を通って、使用者の頭部の表面を均一に照らす。
【００２１】
図４を参照して、一実施形態では、下部ヘルメット本体３０は、下部ヘルメット本体３０の本体３１の表面に固定された複数のクッション３５をさらに含む。複数のクッション３５は、下部ヘルメット本体３０の本体３１と使用者の頭部を少なくとも部分的に隔てるためのものであり、空気の循環し易さ、放熱性、および柔軟性の全てが向上しており、使用者が考案の光を用いた治療用ヘルメット１を着用したときの快適性が大幅に上がっている。複数のクッション３５は、プラスチック、革、発泡スチロール、スポンジ、発泡材、紙、竹、籐、草、木、金属、またはゴムなどで作られる。
【符号の説明】
【００２２】
１    光を用いた治療用ヘルメット
１０    上部ヘルメット本体
１１    収容空間
２０    回路基板層
２１    光る点
２２    回路基板
３０    下部ヘルメット本体
４０    インターフェイスワイヤ
５０    コントローラ
【図１】
0003233620.tif 000003
【図２】
0003233620.tif 000004
【図３】
0003233620.tif 000005
【図４】
0003233620.tif 000006